(57)【要約】【課題】光学ファインダーと電子ファインダーとを切り替え可能とし、撮影姿勢を崩さずに再生画像の確認動作を容易にする。【解決手段】撮影レンズ２を通った被写体像を光学的にファインダー９に導く第１のファインダー系Ａと、撮像素子５および表示装置７を介して電子的にファインダーに導く第２のファインダー系Ｂと、両ファインダー系の有効状態を切り替える切替手段１０と、蓄積部６に記録する記録モードと蓄積部６から読み出して表示装置７に表示する再生モードとを切り替えるモード切替手段１４と、両モードの切り替えを行う制御部１１とを備え、制御部１１は、記録モードから再生モードに切り替えたときに、ファインダー系を強制的に第２のファインダー系の有効状態に切り替え、再び記録モードに切り替え戻したときに、元の記録モードで有効状態とされていた方のファインダー系に自動復帰するように構成されている。【選択図】  図１０
2004357123.tif 000002
【特許請求の範囲】
【請求項１】
撮影レンズを通った被写体像を光学的にファインダーに導く第１のファインダー系と、
前記撮影レンズを通った被写体像を撮像および表示を介して電子的に前記ファインダーに導く第２のファインダー系と、
前記第１のファインダー系の有効状態と前記第２のファインダー系の有効状態とを切り替える切替手段とを備えたデジタルカメラ。
【請求項２】
さらに、前記第２のファインダー系における撮像素子により前記撮影レンズからの被写体像を撮像して蓄積部に記録する記録モードと、前記蓄積部の画像データを再生して前記第２のファインダー系における表示装置に表示する再生モードとを切り替えるモード切替手段と、
前記モード切替手段により記録モードから再生モードに切り替えたときに、ファインダー系を強制的に前記第２のファインダー系の有効状態に切り替える制御手段とを備えた請求項１に記載のデジタルカメラ。
【請求項３】
前記制御手段は、その強制切り替え機能が有効・無効に切り替えられるように構成されている請求項２に記載のデジタルカメラ。
【請求項４】
前記制御手段は、前記モード切替手段により記録モードから再生モードに切り替え、次いで再生モードから記録モードに切り替え戻したときに、ファインダー系を再生モードに切り替える直前の記録モードで有効状態とされていた方のファインダー系に自動復帰するように構成されている請求項２または請求項３に記載のデジタルカメラ。
【請求項５】
前記制御手段は、そのファインダー系自動復帰の機能が有効・無効に切り替えられるように構成されている請求項４に記載のデジタルカメラ。
【請求項６】
さらに、前記ファインダーの視度調整機構を備えた請求項１から請求項５までのいずれかに記載のデジタルカメラ。
【請求項７】
撮影レンズを通った被写体像を光学的にファインダーに導く第１のファインダー系と、
前記撮影レンズを通った被写体像を撮像および表示を介して電子的に前記ファインダーに導く第２のファインダー系と、
前記第１のファインダー系の有効状態と前記第２のファインダー系の有効状態とを切り替える切替手段とを備えたデジタルカメラのファインダー制御方法であって、
前記切替手段が操作されたかを判断するステップと、
前記切替手段が操作されたと判断したときに前記切替手段の操作位置を判断するステップと、
前記操作位置判断のステップで第１の操作位置と判断したときにファインダー系を第１のファインダー系の有効状態に切り替える指令を出力するステップと、
前記操作位置判断のステップで第２の操作位置と判断したときに前記ファインダー系を第２のファインダー系の有効状態に切り替える指令を出力するステップとを含むデジタルカメラのファインダー制御方法。
【請求項８】
撮影レンズを通った被写体像を光学的にファインダーに導く第１のファインダー系と、
前記撮影レンズを通った被写体像を撮像および表示を介して電子的に前記ファインダーに導く第２のファインダー系と、
前記第１のファインダー系の有効状態と前記第２のファインダー系の有効状態とを切り替える切替手段と、
記録モードと再生モードとを切り替えるモード切替手段とを備えたデジタルカメラのファインダー制御方法であって、
前記モード切替手段が操作されたかを判断するステップと、
前記モード切替手段が操作されたと判断したときに前記モード切替手段の操作が再生モードか記録モードかを判断するステップと、
前記モード判断のステップで再生モードと判断したときに元の記録モードでのファインダー系の状態を判断するステップと、
前記ファインダー系判断のステップで第１のファインダー系と判断したときに再生モードで有効ファインダー系を第２のファインダー系の有効状態に強制切り替えする指令を出力するステップとを含むデジタルカメラのファインダー制御方法。
【請求項９】
撮影レンズを通った被写体像を光学的にファインダーに導く第１のファインダー系と、
前記撮影レンズを通った被写体像を撮像および表示を介して電子的に前記ファインダーに導く第２のファインダー系と、
前記第１のファインダー系の有効状態と前記第２のファインダー系の有効状態とを切り替える切替手段と、
記録モードと再生モードとを切り替えるモード切替手段とを備えたデジタルカメラのファインダー制御方法であって、
前記モード切替手段が操作されたかを判断するステップと、
前記モード切替手段が操作されたと判断したときに前記モード切替手段の操作が再生モードか記録モードかを判断するステップと、
前記モード判断のステップで再生モードと判断したときにモード切り替え直前の有効ファインダー系をフラグに設定するステップと、
前記再生モードと判断したときの前記フラグの設定状態が第１のファインダー系か第２のファインダー系かを判断するステップと、
前記フラグの設定状態が第１のファインダー系と判断したときに切り替え後の再生モードで有効ファインダー系を第２のファインダー系の有効状態に強制切り替えする指令を出力するステップと、
前記モード判断のステップで記録モードと判断したときに前記フラグの設定状態が第１のファインダー系か第２のファインダー系かを判断するステップと、
前記記録モードと判断したときの前記フラグの設定状態が第１のファインダー系と判断したときに切り替え後の記録モードで有効ファインダー系を第１のファインダー系の有効状態に強制切り替えする指令を出力するステップとを含むデジタルカメラのファインダー制御方法。
【請求項１０】
コンピュータに、
撮影レンズを通った被写体像を光学的にファインダーに導く第１のファインダー系の有効状態と前記撮影レンズを通った被写体像を撮像および表示を介して電子的に前記ファインダーに導く第２のファインダー系の有効状態とを切り替える切替手段が操作されたかを判断するステップと、
前記切替手段が操作されたと判断したときに前記切替手段の操作位置を判断するステップと、
前記操作位置判断のステップで第１の操作位置と判断したときにファインダー系を前記第１のファインダー系の有効状態に切り替える指令を出力するステップと、
前記操作位置判断のステップで第２の操作位置と判断したときに前記ファインダー系を前記第２のファインダー系の有効状態に切り替える指令を出力するステップと
を実行させるためのプログラムを記録したコンピュータ読み取り可能なデジタルカメラ制御用の記録媒体。
【請求項１１】
コンピュータに、
記録モードと再生モードとを切り替えるモード切替手段が操作されたかを判断するステップと、
前記モード切替手段が操作されたと判断したときに前記モード切替手段の操作が再生モードか記録モードかを判断するステップと、
前記モード判断のステップで再生モードと判断したときに元の記録モードでのファインダー系の状態を判断するステップと、
前記ファインダー系判断のステップで、撮影レンズを通った被写体像を光学的にファインダーに導く第１のファインダー系と判断したときに再生モードで有効ファインダー系を、前記撮影レンズを通った被写体像を撮像および表示を介して電子的に前記ファインダーに導く第２のファインダー系の有効状態に強制切り替えする指令を出力するステップと
を実行させるためのプログラムを記録したコンピュータ読み取り可能なデジタルカメラ制御用の記録媒体。
【請求項１２】
コンピュータに、
記録モードと再生モードとを切り替えるモード切替手段が操作されたかを判断するステップと、
前記モード切替手段が操作されたと判断したときに前記モード切替手段の操作が再生モードか記録モードかを判断するステップと、
前記モード判断のステップで再生モードと判断したときにモード切り替え直前の有効ファインダー系をフラグに設定するステップと、
前記再生モードと判断したときの前記フラグの設定状態が、撮影レンズを通った被写体像を光学的にファインダーに導く第１のファインダー系か、前記撮影レンズを通った被写体像を撮像および表示を介して電子的に前記ファインダーに導く第２のファインダー系かを判断するステップと、
前記フラグの設定状態が第１のファインダー系と判断したときに切り替え後の再生モードで有効ファインダー系を第２のファインダー系の有効状態に強制切り替えする指令を出力するステップと、
前記モード判断のステップで記録モードと判断したときに前記フラグの設定状態が第１のファインダー系か第２のファインダー系かを判断するステップと、
前記記録モードと判断したときの前記フラグの設定状態が第１のファインダー系と判断したときに切り替え後の記録モードで有効ファインダー系を第１のファインダー系の有効状態に強制切り替えする指令を出力するステップと
を実行させるためのプログラムを記録したコンピュータ読み取り可能なデジタルカメラ制御用の記録媒体。
【発明の詳細な説明】
【０００１】
【発明の属する技術分野】
本発明は、ファインダーを有するデジタルスチルカメラまたはデジタルビデオカメラに関する。また、本発明は、デジタルカメラのファインダー制御方法、ならびにコンピュータ読み取り可能なデジタルカメラ制御用の記録媒体に関する。
【０００２】
本明細書においては、画像というときは、静止画像のみの場合と動画像のみの場合と静止画像と動画像の双方を含む場合のいずれであってもよいものとする。
【０００３】
【従来の技術】
従来、デジタルカメラにおいて、目の前に広がる景色を撮影レンズを通して直接クリアに見るために光学ファインダー（ＯＶＦ）を搭載したものが知られている。光学ファインダーは電力を必要としないので節電になり、１つのバッテリーでの撮影可能枚数が増える。
【０００４】
一方、撮影レンズを通した被写体像を撮像素子で撮像した上で液晶などの表示装置で表示し、これから記録しようとする画像をリアルタイムで表示するように構成したものも知られている（例えば、特許文献１，２参照）。この場合、視野率は１００％かそれに近い数値となり、構図にこだわった厳密なフレーミングが可能である。また、レンズを通った後の光（画像）なので、マクロ撮影時にも正確なフレーミングで撮影できる。
【０００５】
【特許文献１】
特開平８−２８６２７３号公報
【特許文献２】
特開２０００−１３８８４６号公報
【０００６】
【発明が解決しようとする課題】
しかし、光学ファインダーでは、一般的にファインダー視野率１００％のものが少なく、視野率が低いために、撮影画角と撮影画像とが一致しない。事前に確認できなかった不要なものが写ってしまうことや、近接撮影（マクロ撮影）時にはパララックス（ファインダーから見たフレームと実際に撮影されるフレームが異なる）が発生する。また、再生画像を確認するには、デジタルカメラに備え付けの液晶などの表示モニターに表示したり、再生画像をＰＣ（パソコン）などに転送して表示する必要がある。そのため、撮影姿勢を崩さなければならなくなり、再生画像の確認作業が複雑となる。また、強度の老眼の人は場合には、モニター表示を視認するのに眼鏡などの矯正器具をかける必要があるという欠点がある。
【０００７】
また、電子ファインダーは、視野率１００％を達成するが、液晶などの表示装置の表示画素数により繊細さが損なわれ、細やかな被写体を写すときにはきちんと表示されないことがある。それに加え、液晶などの表示装置では発色可能色数の制限があり、実物と発色が異なる場合があるという欠点がある。晴天の屋外では見にくくなってしまうことがある。また、必ず電力が必要なため、電池を消耗する。
【０００８】
本発明は、このような事情に鑑みて創作したものであり、状況に応じてファインダーを光学式と電子式とに切り替えることにより両者の欠点を補い、使い勝手の向上を図ることを目的としている。また、撮影姿勢を崩さず容易に再生画像の確認できるようにすることを目的とする。
【０００９】
【課題を解決するための手段】
上記の課題を解決するために、本発明は次のような手段を講じる。
【００１０】
第１の解決手段として、本発明によるデジタルカメラは、撮影レンズを通った被写体像を光学的にファインダーに導く第１のファインダー系と、前記撮影レンズを通った被写体像を撮像および表示を介して電子的に前記ファインダーに導く第２のファインダー系と、前記第１のファインダー系の有効状態と前記第２のファインダー系の有効状態とを切り替える切替手段とを備えた構成としている。
【００１１】
この構成による作用は次のとおりである。撮影開始に際して、第１のファインダー系と第２のファインダー系のいずれを先に有効にするかについては任意である。また、両ファインダー系の切り替えは必ずしも常に行うものではなく、必要に応じて切り替えるものとする。撮影開始に際して、繊細な被写体像確認のために光学ファインダー方式を用いたいときは、第１のファインダー系を有効状態にする（必要に応じて切替手段を操作）。そして、次に、撮影画角を正確に確認したいときには、切替手段によって、第１のファインダー系に代えて第２のファインダー系を有効とする状態に切り替える。上記とは逆に、撮影開始に際して、正確な撮影画角の確認のために電子ファインダー方式を用いたいときは、第２のファインダー系を有効状態にする（必要に応じて切替手段を操作）。そして、次に、繊細な被写体像を確認したいときには、切替手段によって、第２のファインダー系に代えて第１のファインダー系を有効とする状態に切り替える。
【００１２】
第１のファインダー系が有効状態にされている場合、撮影レンズを通った被写体像を光学系のみの第１のファインダー系を介してファインダーに導く。この場合のファインダーに映る被写体像は、第１のファインダー系が光学系のみであるので、繊細なものとなり、被写体像を的確に捉えることができる。
【００１３】
上記とは逆に、第２のファインダー系が有効状態にされている場合、撮影レンズを通った被写体像は撮像素子によって撮像され、その撮像データが表示装置に映し出される。この表示装置に映し出された被写体像がファインダーに導かれる。撮像素子と表示装置を介在しているので、視野率は１００％かそれに近い値となり、撮影画角の正確な確認が可能となる。
【００１４】
このように、第１の解決手段のデジタルカメラによれば、電子ファインダー方式に見られる粗さの欠点と光学ファインダー方式に見られる視野率の低さの欠点を補い合ってともに解消し、必要に応じた切り替え操作によって、繊細な被写体像確認と正確な撮影画角確認との双方の機能をともに満足させることができる。
【００１５】
なお、第１のファインダー系と第２のファインダー系の間でいずれを先に有効にするかについて、あらかじめ固定化しておくのでもよい。１つは、第１のファインダー系を優先するものである。別の１つは、第２のファインダー系を優先するものである。また、優先順位を固定化しなくてもよい。さらには、優先順位の切り替え方式を採用してもよい。
【００１６】
また、両ファインダー系の切り替えを必ず行うように構成してもよい。１つは、第１のファインダー系から第２のファインダー系に切り替えるものである。別の１つは、第２のファインダー系から第１のファインダー系に切り替えるものである。この切り替えについては、ユーザ操作によるのでもよいし、タイマー利用で自動切り替えするのでもよい。
【００１７】
上記第１の解決手段としてのデジタルカメラは、デジタルカメラのファインダー制御方法として次のように展開することが可能である。それは、撮影レンズを通った被写体像を光学的にファインダーに導く第１のファインダー系と、前記撮影レンズを通った被写体像を撮像および表示を介して電子的に前記ファインダーに導く第２のファインダー系と、前記第１のファインダー系の有効状態と前記第２のファインダー系の有効状態とを切り替える切替手段とを備えたデジタルカメラのファインダー制御方法であって、次のような内容の複数のステップを含むものとして構成されている。
【００１８】
すなわち、前記切替手段が操作されたかを判断するステップと、前記切替手段が操作されたと判断したときに前記切替手段の操作位置を判断するステップと、前記操作位置判断のステップで第１の操作位置と判断したときにファインダー系を第１のファインダー系の有効状態に切り替える指令を出力するステップと、前記操作位置判断のステップで第２の操作位置と判断したときに前記ファインダー系を第２のファインダー系の有効状態に切り替える指令を出力するステップとである。
【００１９】
この第１の解決手段のデジタルカメラのファインダー制御方法によれば、電子ファインダー方式に見られる粗さの欠点と光学ファインダー方式に見られる視野率の低さの欠点を補い合ってともに解消し、必要に応じた切り替え操作によって、繊細な被写体像確認と正確な撮影画角確認との双方の機能をともに満足させることができる。
【００２０】
また、上記第１の解決手段についてのデジタルカメラのファインダー制御方法は、コンピュータ読み取り可能なデジタルカメラ制御用の記録媒体として次のように展開することが可能である。それは、コンピュータに、次のような内容の複数のステップを実行させるためのプログラムを記録した記録媒体である。
【００２１】
すなわち、撮影レンズを通った被写体像を光学的にファインダーに導く第１のファインダー系の有効状態と前記撮影レンズを通った被写体像を撮像および表示を介して電子的に前記ファインダーに導く第２のファインダー系の有効状態とを切り替える切替手段が操作されたかを判断するステップと、前記切替手段が操作されたと判断したときに前記切替手段の操作位置を判断するステップと、前記操作位置判断のステップで第１の操作位置と判断したときにファインダー系を前記第１のファインダー系の有効状態に切り替える指令を出力するステップと、前記操作位置判断のステップで第２の操作位置と判断したときに前記ファインダー系を前記第２のファインダー系の有効状態に切り替える指令を出力するステップとである。これらのステップをコンピュータに実行させるプログラムを記録したコンピュータ読み取り可能なデジタルカメラ制御用の記録媒体である。
【００２２】
この第１の解決手段のデジタルカメラ制御用の記録媒体を用いることによって、電子ファインダー方式に見られる粗さの欠点と光学ファインダー方式に見られる視野率の低さの欠点を補い合ってともに解消し、必要に応じた切り替え操作によって、繊細な被写体像確認と正確な撮影画角確認との双方の機能をともに満足させることができる。
【００２３】
上記の発明を、記録モードと再生モードの切り替えを可能とする機種に対して次のように展開することも可能である。これが第２の解決手段のデジタルカメラである。すなわち、前記第２のファインダー系における撮像素子により前記撮影レンズからの被写体像を撮像して蓄積部に記録する記録モードと、前記蓄積部の画像データを再生して前記第２のファインダー系における表示装置に表示する再生モードとを切り替えるモード切替手段を備える。さらに、前記モード切替手段により記録モードから再生モードに切り替えたときに、ファインダー系を強制的に前記第２のファインダー系の有効状態に切り替える制御手段を備えた構成とする。
【００２４】
この構成による作用は次のとおりである。記録モードにあっては、第１のファインダー系を有効状態として記録を行うこともあれば、第２のファインダー系を有効状態として記録を行うこともあり得る。そして、その場で録画状況を確認するために、モード切替手段を操作して記録モードから再生モードに切り替えることがある。このような場合には、蓄積部から画像データを読み出し、第２のファインダー系の表示装置に映し出す。このとき、モード切り替えの直前で第２のファインダー系が有効状態となっておればそのままでよいのであるが、モード切り替えの直前で第１のファインダー系が有効状態となっているときには、ファインダー系を第１のファインダー系から第２のファインダー系に切り替えることが必要になる。この切り替えの必要性に対して、この発明は、上記した強制切り替えの制御手段を備えているので、再生モードへの切り替えに連動して強制的に第２のファインダー系の有効状態への切り替えが行われる。つまり、人為的操作を行う必要がない。したがって、撮影済み画像の再生確認を行う場合に、ファインダーを覗いて撮影し、ファインダーを覗いたままの姿勢でファインダーを介して再生画像の確認を行えるので、撮影姿勢を変えずにすむ。このように、モード切り替えの操作が簡素化され、使い勝手に優れたものとなっている。
【００２５】
なお、この制御手段の強制切り替えの機能を有効・無効に切り替えるように構成し、必要に応じて、有効にしたり無効にすることの選択性をもたせておけば、さらに操作の自由度が増え、使い勝手を向上することができる。
【００２６】
上記第２の解決手段としてのデジタルカメラは、デジタルカメラのファインダー制御方法として次のように展開することが可能である。それは、撮影レンズを通った被写体像を光学的にファインダーに導く第１のファインダー系と、前記撮影レンズを通った被写体像を撮像および表示を介して電子的に前記ファインダーに導く第２のファインダー系と、前記第１のファインダー系の有効状態と前記第２のファインダー系の有効状態とを切り替える切替手段と、記録モードと再生モードとを切り替えるモード切替手段とを備えたデジタルカメラのファインダー制御方法であって、次のような内容の複数のステップを含むものとして構成されている。
【００２７】
すなわち、前記モード切替手段が操作されたかを判断するステップと、前記モード切替手段が操作されたと判断したときに前記モード切替手段の操作が再生モードか記録モードかを判断するステップと、前記モード判断のステップで再生モードと判断したときに元の記録モードでのファインダー系の状態を判断するステップと、前記ファインダー系判断のステップで第１のファインダー系と判断したときに再生モードで有効ファインダー系を第２のファインダー系の有効状態に強制切り替えする指令を出力するステップとである。
【００２８】
この第２の解決手段のデジタルカメラのファインダー制御方法によれば、撮影済み画像の再生確認を行う場合に、ファインダーを覗いて撮影し、ファインダーを覗いたままの姿勢でファインダーを介して再生画像の確認を行えるので、撮影姿勢を変えずにすむ。
【００２９】
また、上記第２の解決手段についてのデジタルカメラのファインダー制御方法は、コンピュータ読み取り可能なデジタルカメラ制御用の記録媒体として次のように展開することが可能である。それは、コンピュータに、次のような内容の複数のステップを実行させるためのプログラムを記録した記録媒体である。
【００３０】
すなわち、記録モードと再生モードとを切り替えるモード切替手段が操作されたかを判断するステップと、前記モード切替手段が操作されたと判断したときに前記モード切替手段の操作が再生モードか記録モードかを判断するステップと、前記モード判断のステップで再生モードと判断したときに元の記録モードでのファインダー系の状態を判断するステップと、前記ファインダー系判断のステップで、撮影レンズを通った被写体像を光学的にファインダーに導く第１のファインダー系と判断したときに再生モードで有効ファインダー系を、前記撮影レンズを通った被写体像を撮像および表示を介して電子的に前記ファインダーに導く第２のファインダー系の有効状態に強制切り替えする指令を出力するステップとである。これらのステップをコンピュータに実行させるプログラムを記録したコンピュータ読み取り可能なデジタルカメラ制御用の記録媒体である。
【００３１】
この第２の解決手段のデジタルカメラ制御用の記録媒体を用いることによって、撮影済み画像の再生確認を行う場合に、ファインダーを覗いて撮影し、ファインダーを覗いたままの姿勢でファインダーを介して再生画像の確認を行えるので、撮影姿勢を変えずにすむ。
【００３２】
上記の発明をさらに次のように展開することも可能である。これが第３の解決手段のデジタルカメラである。すなわち、前記制御手段が、次のような機能を備えていることである。それは、前記モード切替手段により記録モードから再生モードに切り替え、次いで再生モードから記録モードに切り替え戻したときに、ファインダー系を再生モードに切り替える直前の記録モードで有効状態とされていた方のファインダー系に自動復帰するように、制御手段が構成されていることである。
【００３３】
この構成による作用は次のとおりである。上記の強制切り替えの制御手段は、モード切替手段を操作して記録モードから再生モードに切り替えたときに、もしモード切り替えの直前で第１のファインダー系が有効状態であったときは、ファインダー系を強制的に第１のファインダー系から第２のファインダー系に切り替えるものである。このような場合に、再度モード切替手段を操作して、再生モードから記録モードに戻したときに、ファインダー系が第２のファインダー系の有効状態のままであると、使い勝手が悪くなる場合がある。そこで、強制切り替えの制御手段によって、元の記録モードで選択され有効状態とされていた方のファインダー系に強制的に戻すことにより、人為的な戻し操作の必要性をなくし、自動的に元のファインダー系に復帰できる。したがって、撮影済み画像の再生確認を行った後の再録画に進む場合に、ファインダーを覗いて再生確認し、ファインダーを覗いたままの姿勢でファインダーを介して被写体の確認を行えるので、撮影姿勢を変えずに元の録画状況を再現することが容易に実現できる。このように、モード切り替えの操作が簡素化され、使い勝手に優れたものとなっている。
【００３４】
なお、この制御手段のファインダー系自動復帰の機能を有効・無効に切り替えるように構成し、必要に応じて、有効にしたり無効にすることの選択性をもたせておけば、さらに操作の自由度が増え、使い勝手を向上することができる。
【００３５】
上記第３の解決手段としてのデジタルカメラは、デジタルカメラのファインダー制御方法として次のように展開することが可能である。それは、撮影レンズを通った被写体像を光学的にファインダーに導く第１のファインダー系と、前記撮影レンズを通った被写体像を撮像および表示を介して電子的に前記ファインダーに導く第２のファインダー系と、前記第１のファインダー系の有効状態と前記第２のファインダー系の有効状態とを切り替える切替手段と、記録モードと再生モードとを切り替えるモード切替手段とを備えたデジタルカメラのファインダー制御方法であって、次のような内容の複数のステップを含むものとして構成されている。
【００３６】
すなわち、前記モード切替手段が操作されたかを判断するステップと、前記モード切替手段が操作されたと判断したときに前記モード切替手段の操作が再生モードか記録モードかを判断するステップと、前記モード判断のステップで再生モードと判断したときにモード切り替え直前の有効ファインダー系をフラグに設定するステップと、前記再生モードと判断したときの前記フラグの設定状態が第１のファインダー系か第２のファインダー系かを判断するステップと、前記フラグの設定状態が第１のファインダー系と判断したときに切り替え後の再生モードで有効ファインダー系を第２のファインダー系の有効状態に強制切り替えする指令を出力するステップと、前記モード判断のステップで記録モードと判断したときに前記フラグの設定状態が第１のファインダー系か第２のファインダー系かを判断するステップと、前記記録モードと判断したときの前記フラグの設定状態が第１のファインダー系と判断したときに切り替え後の記録モードで有効ファインダー系を第１のファインダー系の有効状態に強制切り替えする指令を出力するステップとである。
【００３７】
この第３の解決手段のデジタルカメラのファインダー制御方法によれば、撮影済み画像の再生確認を行った後の再録画に進む場合に、ファインダーを覗いて再生確認し、ファインダーを覗いたままの姿勢でファインダーを介して被写体の確認を行えるので、撮影姿勢を変えずに元の録画状況を再現することが容易に実現できる。
【００３８】
また、上記第３の解決手段についてのデジタルカメラのファインダー制御方法は、コンピュータ読み取り可能なデジタルカメラ制御用の記録媒体として次のように展開することが可能である。それは、コンピュータに、次のような内容の複数のステップを実行させるためのプログラムを記録した記録媒体である。
【００３９】
すなわち、記録モードと再生モードとを切り替えるモード切替手段が操作されたかを判断するステップと、前記モード切替手段が操作されたと判断したときに前記モード切替手段の操作が再生モードか記録モードかを判断するステップと、前記モード判断のステップで再生モードと判断したときにモード切り替え直前の有効ファインダー系をフラグに設定するステップと、前記再生モードと判断したときの前記フラグの設定状態が、撮影レンズを通った被写体像を光学的にファインダーに導く第１のファインダー系か、前記撮影レンズを通った被写体像を撮像および表示を介して電子的に前記ファインダーに導く第２のファインダー系かを判断するステップと、前記フラグの設定状態が第１のファインダー系と判断したときに切り替え後の再生モードで有効ファインダー系を第２のファインダー系の有効状態に強制切り替えする指令を出力するステップと、前記モード判断のステップで記録モードと判断したときに前記フラグの設定状態が第１のファインダー系か第２のファインダー系かを判断するステップと、前記記録モードと判断したときの前記フラグの設定状態が第１のファインダー系と判断したときに切り替え後の記録モードで有効ファインダー系を第１のファインダー系の有効状態に強制切り替えする指令を出力するステップとである。これらのステップをコンピュータに実行させるプログラムを記録したコンピュータ読み取り可能なデジタルカメラ制御用の記録媒体である。
【００４０】
この第３の解決手段のデジタルカメラ制御用の記録媒体を用いることによって、撮影済み画像の再生確認を行った後の再録画に進む場合に、ファインダーを覗いて再生確認し、ファインダーを覗いたままの姿勢でファインダーを介して被写体の確認を行えるので、撮影姿勢を変えずに元の録画状況を再現することが容易に実現できる。
【００４１】
なお、上記において、コンピュータ読み取り可能な記録媒体としては、磁気テープ、磁気ディスク、光ディスク、光磁気ディスク、半導体メモリなどなんであってもよい。
【００４２】
上記の発明において、さらに、前記ファインダーの視度調整機構を備えた構成とすることも好ましい態様である。このように構成すれば、近視や遠視の人がファインダーを覗いて視認したときに不明瞭になるときには、ファインダーの視度調整機構を操作して焦点を調整することにより、明瞭に視認することができるようになる。すなわち、近視や遠視の人であっても裸眼でカメラを取り扱うことができる。また、強度の老眼の人であっても、ファインダーでの再生画像の視認において、老眼鏡などの矯正器具を不要化できる。
【００４３】
以上のように、本発明によれば、光学ファインダーと電子ファインダーの欠点を補い、撮影姿勢を崩さずに再生画像の確認動作を容易にしたり、元の録画状況を容易に再現することができるという作用を有する。
【００４４】
【発明の実施の形態】
以下、本発明にかかわるデジタルカメラの実施の形態を図面に基づいて説明する。
【００４５】
（実施の形態１）
図１、図２は本発明の実施の形態１におけるデジタルカメラの概略の構成を示す断面図である。図１では、実線で光学ファインダーの選択状態を示し、点線で電子ファインダーの選択状態を示す。図２では、実線で電子ファインダーの選択状態を示し、点線で光学ファインダーの選択状態を示す。図３は本発明の実施の形態１におけるデジタルカメラの構成を示すブロック図である。
【００４６】
図１、図２に示すように、デジタルカメラ１は、組み合わせレンズ群からなる撮影レンズ２、反射ミラー等からなる第１の反射部３、プリズム等からなる第２の反射部４、ＣＣＤ等からなる撮像素子５、画像データの蓄積部６、液晶パネル等からなる表示装置７、接眼レンズ８、ファインダー９、操作スイッチ、操作ボタンなどの切替手段１０、マイクロプロセッサなどによる制御部１１、モータ、減速歯車機構などからなる駆動機構１２を備えている。
【００４７】
図１に示すように、撮影レンズ２を通った被写体像をファインダー９に対して光学的に導くのが第１の反射部３と第２の反射部４と接眼レンズ８とであるが、これらが第１のファインダー系Ａを構成している。
【００４８】
また、図２に示すように、撮影レンズ２を通った被写体像を撮像素子５で撮像して電子的に画像データに変換し、画像データを蓄積部６に記憶させた上で読み出し、表示装置７に映出し、さらに第２の反射部４、接眼レンズ８を介してファインダー９に導くが、これらが第２のファインダー系Ｂを構成している。
【００４９】
第１のファインダー系Ａは光学方式であり、第２のファインダー系Ｂは電子方式である。
【００５０】
第１のファインダー系Ａと第２のファインダー系Ｂとを切り替えるメカニズムとして、切替手段１０、制御部１１、駆動機構１２を備えている。駆動機構１２は制御部１１によって駆動制御され、第１の反射部３の姿勢の切り替えを行うとともに、表示装置７を出退制御する。すなわち、第１の反射部３は、撮影レンズ２の光軸延長線に対して図１に示す４５度傾斜の第１の状態となって入射光を第２の反射部４に向ける状態と、撮影レンズ２の光軸延長線から逸れた図２に示す第２の状態となって入射光を撮像素子５に向ける状態とに切り替え可能となっているが、制御部１１は駆動機構１２を介してこの切り替えの制御を司る。また、表示装置７は、スライドにより第２の反射部４の入射面から引退した図１に示す第１の状態となって第１の反射部３からの反射光が第２の反射部４に入射するのを許容する状態と、第２の反射部４の入射面に対面する図２に示す第２の状態とに切り替え可能となっているが、制御部１１は駆動機構１２を介してこの切り替えの制御を司る。
【００５１】
図１に示す第１の反射部３の第１の状態と表示装置７の第１の状態とは対応し、第１の反射部３は撮影レンズ２からの光を第２の反射部４に向けて反射するように光路に入った状態となり、同時に、表示装置７は、第１の反射部３からの光が第２の反射部４に入射するのを妨げないように、光路から退出した状態となる。これによって、第１のファインダー系Ａが有効状態となり、光学ファインダーの状態となる。撮影レンズ２からの被写体像を第１の反射部３で反射して第２の反射部４へ入射する。第２の反射部４では、入射された画像が上下左右方向で正しく接眼レンズ８に映し出されるように反射を行う。第２の反射部４から出射された被写体像は接眼レンズ８を通してファインダー９に映し出される。
【００５２】
また、図２に示す第１の反射部３の第２の状態と表示装置７の第２の状態とは対応し、第１の反射部３は撮影レンズ２からの光が撮像素子５に入射するのを遮らないように跳ね上げられ、この跳ね上げに連動して、表示装置７が第２の反射部４の入射面に位置対応する位置まで移動する。これによって、第２のファインダー系Ｂが有効状態となり、電子ファインダーの状態となる。撮影レンズ２からの被写体像を撮像素子５で撮像して電子的に画像データに変換し、画像データを蓄積部６に記憶させた上で読み出し、表示装置７に映出し、さらに第２の反射部４、接眼レンズ８を介してファインダー９に導く。
【００５３】
図１に示す第１のファインダー系Ａが有効の光学ファインダーの選択時には、切替手段１０は▲１▼の操作位置にある。第１のファインダー系Ａが有効状態であるので、繊細な被写体像の確認が可能となっている。たたし、撮影画角については、正確性に欠ける場合がある。そこで、撮影画角を正確に確認したいときには、この状態から切替手段１０を▲２▼の操作位置へ切り替える。これによって図２に示す状態に切り替わる。すなわち、切替手段１０の操作により、制御部１１および駆動機構１２を駆動して、第１の反射部３を跳ね上げると同時に表示装置７を第２の反射部４への対面位置まで移動させ、第２のファインダー系Ｂが有効の電子ファインダーの状態に切り替える。このとき、第１の反射部３と表示装置７とは連動して動作する。第２のファインダー系Ｂを有効状態にして、正確な撮影画角を確認することができる。
【００５４】
また、図２に示す第２のファインダー系Ｂが有効の電子ファインダーの選択時には、切替手段１０は▲２▼の操作位置にある。第２のファインダー系Ｂが有効状態であるので、撮影画角を正確に確認することが可能となっている。ただし、被写体像の繊細さには欠ける場合がある。そこで、被写体像を繊細に確認したいときには、この状態から切替手段１０を▲１▼の操作位置に切り替える。これによって図１に示す状態に切り替わる。すなわち、切替手段１０の操作により、制御部１１および駆動機構１２を駆動して、第１の反射部３を下げると同時に表示装置７を退出させ、第１のファインダー系Ａが有効の光学ファインダーの状態に切り替える。このときも、第１の反射部３と表示装置７とは連動して動作する。第１のファインダー系Ａを有効状態にして、被写体像を繊細に確認することができる。
【００５５】
図３に示すように、制御部１１は、操作部１３からの各種の操作信号を受け取って、対応する所要の制御を行うように構成されている。また、制御部１１は、撮像素子５からの画像データを蓄積部６に格納する機能と、蓄積部６から読み出した画像データを表示装置７に送出する機能を有している。さらに、制御部１１は、切替手段１０からの切り替え制御信号を受け取って駆動機構１２を制御し、駆動機構１２を介して第１の反射部３と表示装置７の駆動制御を行うように構成されている。蓄積部６としては、ファインダー用にはフレームメモリでよいが、画像記録用にはフラッシュメモリ、磁気ディスク、光ディスクなどなんであってもよい。
【００５６】
図４は上記構成の実施の形態１のデジタルカメラのファインダー系切り替えの動作を示すフローチャートである。この制御は制御部１１において実行される。
【００５７】
ステップＳ１１において、切替手段１０が操作されたかどうかを判断し、操作されているときはステップＳ１２に進んで、切替手段１０の操作位置が▲２▼の操作位置かどうかを判断する。操作位置が▲２▼のときは、ステップＳ１３に進んで、第１の反射部３および表示装置７を第２の状態にするように駆動機構１２を制御する。その結果、図２に示すように第２のファインダー系Ｂが有効状態になる。一方、ステップＳ１２の判断で操作位置が▲１▼のときは、ステップＳ１４に進んで、第１の反射部３および表示装置７を第１の状態にするように駆動機構１２を制御する。その結果、図１に示すように第１のファインダー系Ａが有効状態になる。
【００５８】
図１または図２の状態で、操作部１３において録画操作を行うと、撮像素子５で得られた画像データが蓄積部６に格納される。なお、図１の状態で録画操作したときは、撮像素子５からの被写体像が撮像素子５に入射するように、第１の反射部３が跳ね上げられる。
【００５９】
以上のように、本実施の形態によれば、電子ファインダー方式に見られる粗さの欠点と光学ファインダー方式に見られる視野率の低さの欠点を補い合ってともに解消することができる。つまり、必要に応じた切り替え操作によって、繊細な被写体像確認と正確な撮影画角確認との双方の機能をともに満足させることができる。これによって、希望するとおりの撮影が可能となる。
【００６０】
なお、ファインダーとは別に、液晶モニターなどのモニター装置を設けることを妨げない。その場合、撮像素子で撮像した画像をモニター装置に表示することができる。また、撮像素子で撮像した画像だけでなく、以前に撮影して蓄積部６に蓄積している画像データを読み出してモニター装置に表示することも可能である。
【００６１】
（実施の形態２）
図５、図６は本発明の実施の形態２におけるデジタルカメラの概略の構成を示す断面図である。図５は記録モードを示し、実線で光学ファインダーの選択状態を示している。なお、点線は電子ファインダーの選択状態を示す。図６は、再生モードを示し、実線で電子ファインダーの選択状態を示している。なお、点線で光学ファインダーの選択状態を示す。図７は本発明の実施の形態１におけるデジタルカメラの構成を示すブロック図である。これらの図において、実施の形態１の図１、図２におけるのと同じ符号は同一構成要素を指しているので、詳しい説明は省略する。
【００６２】
記録モードは、第２のファインダー系Ｂを有効状態とし、撮影レンズ２からの被写体像を撮像素子５で撮影し、得られた画像データを蓄積部６に記録するモードである。再生モードは、第２のファインダー系Ｂを有効状態とし、蓄積部６から画像データを読み出し、表示装置７に表示するモードである。そして、記録モードと再生モードとを切り替えるための操作スイッチや操作ボタンなどのモード切替手段１４を備えている。さらに、制御部１１は、モード切替手段１４が記録モードから再生モードに切り替えられたときは、ファインダー系を強制的に第２のファインダー系Ｂの有効状態に切り替えるように構成されている。
【００６３】
図５に示すように、モード切替手段１４をａの操作位置に操作している状態では、記録モードが設定されている。切替手段１０は▲１▼の操作位置にあり、被写体の確認のために、第１のファインダー系Ａを有効状態にした光学ファインダーが使用されている。図示はしていないが、モード切替手段１４が操作位置ａにある記録モード設定状態においても、切替手段１０を▲２▼の操作位置に切り替えると、実施の形態１の場合と同様に、第２のファインダー系Ｂを有効状態にした電子ファインダーでの被写体確認も可能である。すなわち、記録モード設定状態において、第１のファインダー系Ａの有効状態と第２のファインダー系Ｂの有効状態とを任意に切り替えすることができる。
【００６４】
記録モード設定状態からモード切替手段１４をｂの操作位置に切り替えると、再生モードが設定される。このとき、元の記録モードでの有効ファインダー系が第２のファインダー系Ｂの電子ファインダーであれば、そのままとするが、元の記録モードでの有効ファインダー系が第１のファインダー系Ａの光学ファインダーとなっていた場合には、ファインダー系を強制的に第２のファインダー系Ｂの電子ファインダーに切り替える。その状態を図６に示す。モード切替手段１４は操作位置ｂに切り替えられ、これに連動して有効ファインダー系が強制的に第２のファインダー系Ｂに切り替えられている。切替手段１０も操作位置▲２▼に切り替えられている。
【００６５】
再生モードでは、蓄積部６に格納された画像データを読み出して表示装置７に表示し、それを第２の反射部４、接眼レンズ８を介してファインダー９に映し出すが、記録モードから再生モードへの切り替えに伴って、制御部１１は駆動機構１２を制御して、表示装置７を第２の反射部４の入射面に対面する位置に移動させる。この動作を自動的に行う。なお、第１の反射部３も連動して第１の状態から第２の状態に切り替えられているが、この動作については、必ずしもそのようにする必要はない。
【００６６】
図８は上記構成の実施の形態２のデジタルカメラのモード切り替えの動作を示すフローチャートである。この制御は制御部１１において実行される。
【００６７】
ステップＳ２１において、モード切替手段１４が操作されたかどうかを判断し、操作されているときはステップＳ２２に進んで、モード切替手段１４の操作位置が再生モードを示すｂの操作位置かどうかを判断する。操作位置がｂのときは、ステップＳ２３に進んで、直前の有効ファインダー系が第２のファインダー系Ｂとなっているかどうかを判断する。有効ファインダー系が第２のファインダー系Ｂではなく、第１のファインダー系Ａとなっている場合には、ステップＳ２４に進んで、第１の反射部３および表示装置７を第２の状態にするように駆動機構１２を制御する。その結果、図６に示すように第２のファインダー系Ｂが有効状態になる。制御部１１が強制切り替えの制御手段を構成している。ステップＳ２２の判断でモード切替手段１４が記録モードを示すａとなっているとき、および、ステップＳ２３の判断で有効ファインダー系がすでに第２のファインダー系Ｂとなっているときは、ステップＳ２４をスキップする。
【００６８】
以上のように、本実施の形態によれば、再生モードへの切り替えにおいて、切り替え直前で第１のファインダー系が有効状態であったときは、有効ファインダー系を再生モードに適した第２のファインダー系Ｂに自動的に切り替え、人為的操作を行う必要がないため、使い勝手に優れ、操作性が良い。
【００６９】
（実施の形態３）
図９、図１０は本発明の実施の形態３におけるデジタルカメラの概略の構成を示す断面図である。図９は記録モードを示し、図１０は再生モードを示す。これらの図において、実施の形態２の図５、図６におけるのと同じ符号は同一構成要素を指しているので、詳しい説明は省略する。本実施の形態のデジタルカメラの構成を示すブロック図は図７と同様のものであるので、その図示を省略する。本実施の形態３は、実施の形態２を前提として、再生モードから記録モードへ復帰したときに、元の記録モードでの有効ファインダー系を元のとおり有効に復帰させるものである。
【００７０】
モード切替手段１４が操作位置ａにある図９の記録モードからモード切替手段１４を操作して操作位置ｂに切り替え、図１０に示すように再生モードにしたとする。再生モードに切り替える直前の有効ファインダー系は図９の場合は第１のファインダー系Ａである。図示はしないが、直前の有効ファインダー系が第２のファインダー系Ｂとなっている場合もある。
【００７１】
図９の状態から再生モードに切り替えると、実施の形態２の場合と同様にして、図１０に示すように、有効ファインダー系が強制的に第２のファインダー系Ｂに切り替えられる。すなわち、表示装置７が第２の反射部４の入射面に対向する位置に移動される。操作部１３において、再生操作を行うと、蓄積部６に格納されている画像データが読み出され、表示装置７に送出される。表示装置７の再生画像が第２の反射部４、接眼レンズ８を介してファインダー９に映し出される。なお、第１の反射部３も連動して第１の状態から第２の状態に切り替えられているが、この動作については、必ずしもそのようにする必要はない。
【００７２】
再生を終えて、再び記録モードに戻すべく、モード切替手段１４を操作位置ａに切り替えると、図１０の状態から図９の状態に復帰する。つまり、有効ファインダー系が元の記録モードでの有効ファインダー系に戻るように制御される。本例の場合は、再生モードに切り替える直前の記録モードで図９のように第１のファインダー系Ａが有効状態にあったので、再生モードから記録モードに戻したときは、元の第１のファインダー系Ａが有効状態となるように制御される。図示はしていないが、再生モードに切り替える直前の記録モードで第２のファインダー系Ｂが有効状態にあったときには、再生モードから記録モードに戻したときに、元の第２のファインダー系Ｂが有効状態となるように制御される。
【００７３】
図１１は上記構成の実施の形態３のデジタルカメラのモード切り替えの動作を示すフローチャートである。この制御は制御部１１において実行される。
【００７４】
ステップＳ３１において、モード切替手段１４が操作されたかどうかを判断し、操作されているときはステップＳ３２に進んで、モード切替手段１４の操作位置が再生モードを示すｂの操作位置かどうかを判断する。操作位置がｂのときは、ステップＳ３３に進んで、モード切り替え直前の有効ファインダー系をフラグに設定する。すなわち、直前の有効ファインダー系が第１のファインダー系Ａのときは、フラグとして“１”を設定し、直前の有効ファインダー系が第２のファインダー系Ｂのときは、フラグとして“２”を設定する。次いで、ステップＳ３４に進み、フラグが“２”であるかどうか、つまり、直前の有効ファインダー系が第２のファインダー系Ｂとなっているかどうかを判断する。有効ファインダー系が第２のファインダー系Ｂではなく、第１のファインダー系Ａとなっている場合には、ステップＳ３５に進んで、第１の反射部３および表示装置７を第２の状態にするように駆動機構１２を制御する。その結果、図１０に示すように第２のファインダー系Ｂが有効状態になる。次いで、ステップＳ３６において、切替手段１０の操作により指令を無効化する。ステップＳ３４の判断で有効ファインダー系がすでに第２のファインダー系Ｂとなっているときは、ステップＳ３５をスキップする。
【００７５】
一方、ステップＳ３２の判断でモード切替手段１４の操作位置がａであって、記録モードに切り替えられたときは、ステップＳ３７に進んで、フラグが“１”に設定されているかどうかを判断する。この判断が肯定的となるとき、すなわち、再生モード切り替え直前の有効ファインダー系が第１のファインダー系Ａであったことを示しているときは、ステップＳ３８に進み、第１の反射部３および表示装置７を第１の状態にするように駆動機構１２を制御する。その結果、図１０の第２のファインダー系Ｂの有効状態から図９に示す第１のファインダー系Ａの有効状態に自動的に復帰される。次いで、ステップＳ３９において、切替手段１０の操作無効化を解除する。ステップＳ３７の判断が否定的のとき、すなわち、再生モード切り替え直前の有効ファインダー系が第２のファインダー系Ｂであったことを示しているときは、ステップＳ３８をスキップする。
【００７６】
以上のように、本実施の形態によれば、録画直後に再生して録画状態を確認し、引き続いて前と同じ状況で録画を行うときに、いちいちファインダー系の人為的操作はしなくてもすむ。自動的に元のファインダー系に復帰させるため、使い勝手が良く、モード切り替えの操作性がさらに改善されている。
【００７７】
（実施の形態４）
図１２は本発明の実施の形態４におけるにデジタルカメラの概略構成を示している。本実施の形態は、接眼レンズ８の集光位置を調節する視度調整機構１５を備えている。視度調整機構１５は、ダイヤルを回すことにより接眼レンズ８を前後にスライドさせ、第２の反射部４の出射面に対して接近離間するように構成されている。
【００７８】
有効ファインダー系が第１のファインダー系Ａであるか第２のファインダー系Ｂであるかに関係なく、視度調整機構１５の操作によって、接眼レンズ８を前後にスライドさせることにより、接眼レンズ８の集光位置を調節し、第２の反射部４からの光学像の集光位置を調節する。使用者が近視や遠視であっても、眼鏡などの矯正器具の装着の必要性を緩和し、目の網膜に正しく光学像が結像される。
【００７９】
なお、本発明は上記形態に限定されるものではなく、以下のように実施してもよい。
【００８０】
上記の実施の形態では、表示装置７の配置位置として第２の反射部４の入射面前面としているが、これに代えて、第２の反射部４の出射面の後方に表示装置を配置してもよい。この場合、電子ファインダー使用時には、表示装置による表示画像を接眼レンズに直接に出射することになる。光学ファインダー使用時には表示装置を第２の反射部の出射面から引退させるようにスライドさせるように構成する。
【００８１】
また、上記の実施の形態においては、電子ファインダー使用時に第１の反射部３を跳ね上げているが、これに代えて、第１の反射部としてスプリッターやハーフミラーなどの１入力の光を２分化する光学素子を用いることで、光学ファインダーと電子ファインダーとの切り替え時に第１の反射部を可動させないようにしてもよい。
【００８２】
また、上記の実施の形態においては、表示装置７をスライドさせて光学ファインダー／電子ファインダーの切り替えを行っているが、第１の反射部の片面をミラーとし、もう片面を表示装置とするのでもよい。この場合、光学ファインダー時は撮影レンズからの被写体像をミラーで反射させて第２の反射部に入射してファインダーに映し出し、電子ファインダー使用時は第１の反射部の表裏を反転させた上で跳ね上げ、撮影レンズからの被写体像を撮像素子が受光し、第１の反射部の裏面にある表示装置で表示して第２の反射部に入射し、ファインダーに映し出すように構成してもよい。
【００８３】
【発明の効果】
以上詳述したように、本発明によれば、電子ファインダー方式に見られる粗さの欠点と光学ファインダー方式に見られる視野率の低さの欠点を補い合ってともに解消し、必要に応じた切り替え操作によって、繊細な被写体像確認と正確な撮影画角確認との双方の機能をともに満足させることができる。
【００８４】
また、記録モードから再生モードへの切り替えに連動して、ファインダー系を強制的に第２のファインダー系の有効状態である電子ファインダーに切り替える構成により、記録画像の再生確認において、ファインダーを覗いたままの姿勢で記録から引き続いて再生確認することができ、撮影姿勢を崩すことなく再生確認できるので、モード切り替えの操作性を簡素化することができる。
【００８５】
また、第１のファインダー系の有効状態である光学ファインダーが有効の状態で記録モードから再生モードに切り替え、連動してファインダー系を第２のファインダー系の有効状態である電子ファインダーに切り替え、再び記録モードに戻したときに、元の記録モードで有効としていた光学ファインダーに自動復帰させる構成により、撮影姿勢を崩すことなく、元の録画状況を再現することが容易に実現でき、モード切り替えの操作性をさらに簡素化することができる。
【００８６】
また、ファインダーに視度調整機構を付加する構成により、近視や遠視の人であっても、老眼鏡などの矯正器具を必要とすることなく裸眼でファインダーから被写体像や再生画像を明瞭に確認することができる。
【図面の簡単な説明】
【図１】本発明の実施の形態１におけるデジタルカメラの光学ファインダー（第１のファインダー系）の選択状態の概略の構成を示す断面図
【図２】本発明の実施の形態１におけるデジタルカメラの電子ファインダー（第２のファインダー系）の選択状態の概略の構成を示す断面図
【図３】本発明の実施の形態１におけるデジタルカメラの構成を示すブロック図
【図４】本発明の実施の形態１におけるデジタルカメラのファインダー系切り替えの動作を示すフローチャート
【図５】本発明の実施の形態２におけるデジタルカメラの記録モードの選択状態の概略の構成を示す断面図
【図６】本発明の実施の形態２におけるデジタルカメラの再生モードの選択状態の概略の構成を示す断面図
【図７】本発明の実施の形態２におけるデジタルカメラの構成を示すブロック図
【図８】本発明の実施の形態２におけるデジタルカメラのモード切り替えの動作を示すフローチャート
【図９】本発明の実施の形態３におけるデジタルカメラの記録モードの選択状態の概略の構成を示す断面図
【図１０】本発明の実施の形態３におけるデジタルカメラの再生モードの選択状態の概略の構成を示す断面図
【図１１】本発明の実施の形態３におけるデジタルカメラのモード切り替えの動作を示すフローチャート
【図１２】本発明の実施の形態４におけるにデジタルカメラの概略構成を示す断面図
【符号の説明】
１  デジタルカメラ
２  撮影レンズ
３  第１の反射部
４  第２の反射部
５  撮像素子
６  蓄積部
７  表示装置
８  接眼レンズ
９  ファインダー
１０  切替手段
１１  制御部
１２  駆動機構
１３  操作部
１４  モード切替手段
１５  視度調整機構
Ａ  第１のファインダー系（光学ファインダー）
Ｂ  第２のファインダー系（電子ファインダー）
【図１】
2004357123.tif 000003
【図２】
2004357123.tif 000004
【図３】
2004357123.tif 000005
【図４】
2004357123.tif 000006
【図５】
2004357123.tif 000007
【図６】
2004357123.tif 000008
【図７】
2004357123.tif 000009
【図８】
2004357123.tif 000010
【図９】
2004357123.tif 000011
【図１０】
2004357123.tif 000012
【図１１】
2004357123.tif 000013
【図１２】
2004357123.tif 000014